(57)【要約】【課題】セルフタイマモードで撮影タイミングを伝える照明と、ＡＦの補助光とを兼用した装置であっても、エネルギーロスの少ない照明手段を備えるオートフォーカス補助光装置を提供する。【解決手段】ユーザはセルフタイマモードを行う際、切り替えレバー１を移動させ、該切り替えレバー１に連動して、スイッチ２がＯＮ状態となり、セルフタイマモードに入ったことをＣＰＵが認識する。切り替えレバー１は拡散板４とも連動しており、切り替えレバー１が上方向に移動されると同時に補助光用ＬＥＤ３の前面に、拡散板４が配置される。拡散板４が、補助光用ＬＥＤ３の前面に降りた状態で、ユーザがレリーズボタンを押下すると、補助光用ＬＥＤが点滅を始め、セルフタイマによる所定時間が経過すると、切り替えレバー１が下がり、撮影時には補助光ＬＥＤ３の前面に拡散板４がない状態で撮影される。【選択図】図３
2007199353.tif 000002
【特許請求の範囲】
【請求項１】
オートフォーカス補助光と、セルフタイマの動作状態を表示する照明とを兼用する照明手段と、
セルフタイマモードに入ったか否かを検出する検出手段と、
前記照明手段の照射方向前面に、照明光を拡散する拡散部材を挿入又は外すよう制御する拡散部材制御手段と、を備え、
前記拡散部材制御手段は、前記検出手段により、セルフタイマモードに入ったことが検出されると、前記拡散部材を挿入し、前記セルフタイマによる所定時間が経過すると、前記拡散部材を外すことを特徴とするオートフォーカス補助光装置。
【請求項２】
オートフォーカス補助光と、セルフタイマの動作状態を表示する照明とを兼用する照明手段と、
オートフォーカス動作が終了したか否かを検出するＡＦ検出手段と、
前記照明手段の照射方向前面に、照明光を拡散する拡散部材を挿入又は外すよう制御する拡散部材制御手段と、を備え、
前記拡散部材制御手段は、前記ＡＦ検出手段により、オートフォーカスが終了したことが検出されると、前記拡散部材を挿入することを特徴とするオートフォーカス補助光装置。
【請求項３】
オートフォーカス補助光と、マクロ撮影時の照明とを兼用する照明手段と、
マクロモードに入ったか否かを検出する検出手段と、
前記照明手段の照射方向前面に、照明光を拡散する拡散部材を挿入又は外すよう制御する拡散部材制御手段と、を備え、
前記拡散部材制御手段は、前記検出手段により、マクロモードに入ったことが検出されると、前記拡散部材を挿入することを特徴とするオートフォーカス補助光装置。
【請求項４】
オートフォーカス補助光と、マクロ撮影時の照明とを兼用する照明手段と、
オートフォーカス動作が終了したか否かを検出するＡＦ検出手段と、
前記照明手段の照射方向前面に、照明光を拡散する拡散部材を挿入又は外すよう制御する拡散部材制御手段と、を備え、
前記拡散部材制御手段は、前記ＡＦ検出手段により、オートフォーカスが終了したことが検出されると、前記拡散部材を挿入することを特徴とするオートフォーカス補助光装置。
【請求項５】
前記照明手段に流す電流を、セルフタイマ動作時の表示又はマクロ撮影時の照明として動作させる場合と、オートフォーカス補助光として動作させる場合のいずれかが大きくなるよう制御する電流制御手段を備えることを特徴とする請求項１から４のいずれか１項記載のオートフォーカス補助光装置。
【請求項６】
前記照明手段は、発光ダイオードであることを特徴とする請求項１から５のいずれか１項記載のオートフォーカス補助光装置。
【請求項７】
前記セルフモード若しくは前記マクロモードのいずれを設定するか切り替えにより選択する切り替え検出手段を備えることを特徴とする請求項１から６のいずれか１項に記載のオートフォーカス補助光装置。
【請求項８】
請求項１から７のいずれか１項に記載のオートフォーカス補助光装置を備える撮像装置。
【請求項９】
セルフタイマモードに入ったか否かを検出する処理と、
オートフォーカス補助光と、セルフタイマの動作状態を表示する照明とを兼用する照明を制御する照明制御処理と、
前記照明の照射方向前面に、照明光を拡散する拡散部材を挿入又は外すよう制御する拡散部材制御処理と、をコンピュータに実行させ、
前記拡散部材制御処理は、前記検出する処理により、セルフタイマモードに入ったことが検出されると、前記拡散部材を挿入し、前記セルフタイマによる所定時間が経過すると、前記拡散部材を外すことを特徴とする拡散部材制御プログラム。
【請求項１０】
オートフォーカス動作が終了したか否かを検出する処理と、
オートフォーカス補助光と、セルフタイマの動作状態を表示する照明とを兼用する照明を制御する照明制御処理と、
前記照明の照射方向前面に、照明光を拡散する拡散部材を挿入又は外すよう制御する拡散部材制御処理と、をコンピュータに実行させ、
前記拡散部材制御処理は、前記検出する処理により、オートフォーカスが終了したことが検出されると、前記拡散部材を挿入することを特徴とする拡散部材制御プログラム。
【請求項１１】
マクロモードに入ったか否かを検出する処理と、
オートフォーカス補助光と、マクロ撮影時の照明とを兼用する照明を制御する照明制御処理と、
前記照明の照射方向前面に、照明光を拡散する拡散部材を挿入又は外すよう制御する拡散部材制御処理と、をコンピュータに実行させ、
前記拡散部材制御処理は、前記検出する処理により、マクロモードに入ったことが検出されると、前記拡散部材を挿入することを特徴とする拡散部材制御プログラム。
【請求項１２】
オートフォーカス動作が終了したか否かを検出する処理と、
オートフォーカス補助光と、マクロ撮影時の照明とを兼用する照明を制御する照明制御処理と、
前記照明の照射方向前面に、照明光を拡散する拡散部材を挿入又は外すよう制御する拡散部材制御処理と、をコンピュータに実行させ、
前記拡散部材制御処理は、前記検出する処理により、オートフォーカスが終了したことが検出されると、前記拡散部材を挿入することを特徴とする拡散部材制御プログラム。
【請求項１３】
前記照明に流す電流を、セルフタイマ動作時の表示又はマクロ撮影時の照明として動作させるとき場合と、オートフォーカス補助光として動作させる場合のいずれかが大きくなるよう制御する電流制御処理をコンピュータに実行させることを特徴とする請求項９から１２のいずれか１項記載の拡散部材制御プログラム。
【請求項１４】
前記照明は、発光ダイオードであることを特徴とする請求項９から１３のいずれか１項記載の拡散部材制御プログラム。
【請求項１５】
前記セルフモード若しくは前記マクロモードのいずれを設定するか切り替えにより選択する切り替え検出処理をコンピュータに実行させることを特徴とする請求項９から１４のいずれか１項に記載の拡散部材制御プログラム。
【請求項１６】
請求項９から１５のいずれか１項に記載の拡散部材制御プログラムを記録する記録媒体。
【発明の詳細な説明】
【技術分野】
【０００１】
本発明は、オートフォーカス補助光装置、撮像装置、拡散部材制御プログラム及び記録媒体に関し、特に、オートフォーカスの補助光を他の照明手段と兼用するオートフォーカス補助光装置、撮像装置、拡散部材制御プログラム及び記録媒体に関する。
【背景技術】
【０００２】
一般的に、昨今のカメラはセルフタイマ機能を有している。また、セルフタイマ機能を動作させた際に、発音周期や点灯周期を変化させることにより被写体に撮影するタイミングを知らせる発音手段や照明手段を具備している。このようなセルフタイマに使用する照明手段と、ＡＦ（autofocus:自動焦点）を行う際に暗い被写体でも測距できるよう照明を補助する補助光手段とを兼用する技術が提案されている。
【０００３】
ここで、オートフォーカスの補助光は、光束が発散しないように指向性を強くすることが一般的であるが、指向性を強くしたままの状態でセルフタイマ用のタイミングを知らせるための照明手段として使用すると、例えば撮影範囲の端の方に位置する被写体にとっては撮影のタイミングが分かりにくいという問題があった。
【０００４】
この問題を解決するため、オートフォーカス補助光用の発光部の周囲に光を拡散させる拡散板を設ける技術が提案されている（例えば、特許文献１参照）。これによりセルフタイマの作動表示部からある程度の角度を持った人からでも、セルフタイマの作動表示を容易に確認することができる。
【特許文献１】実開平７−１４４２号公報
【発明の開示】
【発明が解決しようとする課題】
【０００５】
しかしながら、上記技術では常時拡散板が取り付けられ、これにより光が拡散されるため、省電力の観点からなるべく少ないエネルギーで到達距離を稼ぐ必要があるが、オートフォーカスの補助光としてはエネルギーのロスが大きくなる、という問題が生じる。
【０００６】
本発明はこのような状況に鑑みてなされたものであり、セルフタイマモードで撮影タイミングを被写体に伝える為の照明と、ＡＦの補助光とを兼用した装置でも、エネルギーロスの少ない照明手段を備えるオートフォーカス補助光装置の提供を目的としている。
【課題を解決するための手段】
【０００７】
請求項１記載の発明は、オートフォーカス補助光と、セルフタイマの動作状態を表示する照明とを兼用する照明手段と、セルフタイマモードに入ったか否かを検出する検出手段と、前記照明手段の照射方向前面に、照明光を拡散する拡散部材を挿入又は外すよう制御する拡散部材制御手段と、を備え、前記拡散部材制御手段は、前記検出手段により、セルフタイマモードに入ったことが検出されると、前記拡散部材を挿入し、前記セルフタイマによる所定時間が経過すると、前記拡散部材を外すことを特徴とするオートフォーカス補助光装置である。
【０００８】
請求項２記載の発明は、オートフォーカス補助光と、セルフタイマの動作状態を表示する照明とを兼用する照明手段と、オートフォーカス動作が終了したか否かを検出するＡＦ検出手段と、前記照明手段の照射方向前面に、照明光を拡散する拡散部材を挿入又は外すよう制御する拡散部材制御手段と、を備え、前記拡散部材制御手段は、前記ＡＦ検出手段により、オートフォーカスが終了したことが検出されると、前記拡散部材を挿入することを特徴とするオートフォーカス補助光装置である。
【０００９】
請求項３記載の発明は、オートフォーカス補助光と、マクロ撮影時の照明とを兼用する照明手段と、マクロモードに入ったか否かを検出する検出手段と、前記照明手段の照射方向前面に、照明光を拡散する拡散部材を挿入又は外すよう制御する拡散部材制御手段と、を備え、前記拡散部材制御手段は、前記検出手段により、マクロモードに入ったことが検出されると、前記拡散部材を挿入することを特徴とするオートフォーカス補助光装置である。
【００１０】
請求項４記載の発明は、オートフォーカス補助光と、マクロ撮影時の照明とを兼用する照明手段と、オートフォーカス動作が終了したか否かを検出するＡＦ検出手段と、前記照明手段の照射方向前面に、照明光を拡散する拡散部材を挿入又は外すよう制御する拡散部材制御手段と、を備え、前記拡散部材制御手段は、前記ＡＦ検出手段により、オートフォーカスが終了したことが検出されると、前記拡散部材を挿入することを特徴とするオートフォーカス補助光装置である。
【００１１】
請求項５記載の発明は、請求項１から４のいずれか１項記載の装置において、前記照明手段に流す電流を、セルフタイマ動作時の表示又はマクロ撮影時の照明として動作させる場合と、オートフォーカス補助光として動作させる場合のいずれかが大きくなるよう制御する電流制御手段を備えることを特徴とする。
【００１２】
請求項６記載の発明は、請求項１から５のいずれか１項記載の装置において、前記照明手段は、発光ダイオードであることを特徴とする。
【００１３】
請求項７記載の発明は、請求項１から６のいずれか１項に記載の装置において、前記セルフモード若しくは前記マクロモードのいずれを設定するか切り替えにより選択する切り替え検出手段を備えることを特徴とする。
【００１４】
請求項８記載の発明は、請求項１から７のいずれか１項に記載のオートフォーカス補助光装置を備える撮像装置である。
【００１５】
請求項９記載の発明は、セルフタイマモードに入ったか否かを検出する処理と、オートフォーカス補助光と、セルフタイマの動作状態を表示する照明とを兼用する照明を制御する照明制御処理と、前記照明の照射方向前面に、照明光を拡散する拡散部材を挿入又は外すよう制御する拡散部材制御処理と、をコンピュータに実行させ、前記拡散部材制御処理は、前記検出する処理により、セルフタイマモードに入ったことが検出されると、前記拡散部材を挿入し、前記セルフタイマによる所定時間が経過すると、前記拡散部材を外すことを特徴とする拡散部材制御プログラムである。
【００１６】
請求項１０記載の発明は、オートフォーカス動作が終了したか否かを検出する処理と、オートフォーカス補助光と、セルフタイマの動作状態を表示する照明とを兼用する照明を制御する照明制御処理と、前記照明の照射方向前面に、照明光を拡散する拡散部材を挿入又は外すよう制御する拡散部材制御処理と、をコンピュータに実行させ、前記拡散部材制御処理は、前記検出する処理により、オートフォーカスが終了したことが検出されると、前記拡散部材を挿入することを特徴とする拡散部材制御プログラムである。
【００１７】
請求項１１記載の発明は、マクロモードに入ったか否かを検出する処理と、オートフォーカス補助光と、マクロ撮影時の照明とを兼用する照明を制御する照明制御処理と、前記照明の照射方向前面に、照明光を拡散する拡散部材を挿入又は外すよう制御する拡散部材制御処理と、をコンピュータに実行させ、前記拡散部材制御処理は、前記検出する処理により、マクロモードに入ったことが検出されると、前記拡散部材を挿入することを特徴とする拡散部材制御プログラムである。
【００１８】
請求項１２記載の発明は、オートフォーカス動作が終了したか否かを検出する処理と、オートフォーカス補助光と、マクロ撮影時の照明とを兼用する照明を制御する照明制御処理と、前記照明の照射方向前面に、照明光を拡散する拡散部材を挿入又は外すよう制御する拡散部材制御処理と、をコンピュータに実行させ、前記拡散部材制御処理は、前記検出する処理により、オートフォーカスが終了したことが検出されると、前記拡散部材を挿入することを特徴とする拡散部材制御プログラムである。
【００１９】
請求項１３記載の発明は、請求項９から１２のいずれか１項記載のプログラムにおいて、前記照明に流す電流を、セルフタイマ動作時の表示又はマクロ撮影時の照明として動作させるとき場合と、オートフォーカス補助光として動作させる場合のいずれかが大きくなるよう制御する電流制御処理をコンピュータに実行させることを特徴とする。
【００２０】
請求項１４記載の発明は、請求項９から１３のいずれか１項記載のプログラムにおいて、前記照明は、発光ダイオードであることを特徴とする。
【００２１】
請求項１５記載の発明は、請求項９から１４のいずれか１項に記載のプログラムにおいて、前記セルフモード若しくは前記マクロモードのいずれを設定するか切り替えにより選択する切り替え検出処理をコンピュータに実行させることを特徴とする。
【００２２】
請求項１６記載の発明は、請求項９から１５のいずれか１項に記載の拡散部材制御プログラムを記録する記録媒体である。
【発明の効果】
【００２３】
本発明によれば、セルフタイマモードで撮影タイミングを被写体に伝えるための照明と、ＡＦの補助光を兼用した装置であっても、セルフタイマ作動時、撮影中心からある程度の角度を持った人からでもセルフタイマの動作表示を容易に確認することと、エネルギーロスを押さえることを両立させることができる。
【発明を実施するための最良の形態】
【００２４】
以下に、本発明に係る実施形態について説明する。なお、以下に述べる各実施形態は、本発明の好適な実施の形態であるため、技術的に好ましい種種の限定が付されているが、本発明の範囲は、以下の説明において特に本発明を限定する旨の記載がない限り、これらの態様に限られるものではない。
【００２５】
図１は、本発明の実施形態に係る補助光（照明部１８）の制御に関するブロック構成図である。スイッチ検出部１５、ＣＰＵ１６、拡散制御部１７、照明部１８、電流制御部１９から構成される。スイッチ検出部１５は、セルフタイマモード（又はマクロモード）に入ったことを検出する。ＣＰＵ１６は、スイッチ検出部による検出結果に基づき、照明部１８を点滅（又は点灯）させる。拡散制御部は、スイッチ検出部１５がセルフモード（又はマクロモード）に入ったことを検出すると、拡散板４（図２）を補助光３の前に挿入する。電流制御部１９は、照明部１８により補助光３を点灯する際に流す電流を制御する。
【００２６】
図５は、本発明の実施形態に係る動作処理の流れを示すフロー図である。セルフタイマモードに入った場合は（ステップＳ５０）、拡散板を挿入する（ステップＳ５１）。その状態でレリーズし（ステップＳ５２）、セルフタイマの動作状態を表示するため補助光が点滅する（ステップＳ５３）。セルフタイマによる所定時間が経過すると、拡散板を外し（ステップＳ５４）、ＡＦが開始され（補助光点灯）（ステップＳ５５）、ＡＦが終了する（ステップＳ５６）。
【００２７】
図２及び図３は、本発明の実施形態に係る補助光周辺の概略構成図である。本実施形態では、補助光としてＬＥＤを使用している（補助光用ＬＥＤ３）。また、本実施形態では、スイッチを入れる動作に伴い拡散板が挿入される具体的な仕組みを例示する。切り替えレバー１、スイッチ２、補助光用ＬＥＤ３、拡散板４、アーム６、７、１１、ヒンジ８、９、１２、固定ヒンジ１０から構成される。
【００２８】
ユーザはセルフタイマモードを行う際、切り替えレバー１を図示する矢印の方向（上方向）へ移動させる。該切り替えレバー１に連動して、スイッチ２がＯＮ状態となり（図３参照）、セルフタイマモードに入ったことをＣＰＵ１６（図１）が認識する。また、切り替えレバー１は、アーム６に設けられているため、切り替えレバー１を移動させることにより、アーム６も移動する。アーム６は、ヒンジ８を介してアーム７と接続している。このため、アーム６が押し上げられると共に、アーム７にも上方向へ力が加わる。ここで、アーム７は、一方にヒンジ８、中央に固定ヒンジ１０、他方にヒンジ９が設けられている。固定ヒンジ１０は固定されており、ヒンジ自体が移動しないため、アーム７の一方に上方向の力が加わると、他方が下がることとなる（図３参照）。アーム７は、ヒンジ９を介して拡散板４と接続している。拡散板は、アーム７により下方向に移動する（図３参照）。拡散板４のもう一方は、ヒンジ１２とアーム１１で支えられている。
【００２９】
このように、切り替えレバー１は、拡散板４とも連動しており、切り替えレバー１が図示する方向（上方向）に移動されると同時に補助光用ＬＥＤ３の前面に、拡散板４が配置されるようになっている（図３参照）。拡散板４は、例えば、白濁ガラスや、フレネルレンズの構造をもたせた透明なモールド部材等、拡散機能を有する板であれば良い。拡散板４が、補助光用ＬＥＤ３の前面に降りた状態で、ユーザがレリーズボタン（図示しない）を押下すると、補助光用ＬＥＤ３が点滅を始める。セルフタイマによる所定時間が経過すると、切り替えレバー１が下がり、撮影時には図１の状態で、すなわち補助光ＬＥＤ３の前面に拡散板４がない状態で撮影される。
【００３０】
上記実施形態により、セルフタイマモードで撮影タイミングを被写体に伝える為の照明と、ＡＦの補助光を兼用した装置であっても、セルフタイマ作動時、撮影中心からある程度の角度を持った人からでもセルフタイマの動作表示を容易に確認することができるようになる。また、ＡＦ時には光が拡散されることがないため、少ないエネルギーで補助光が被写体に到達し、オートフォーカスの補助光としてエネルギーのロスを押さえることができる。
【００３１】
本発明の他の実施形態に係る撮像装置としては、マクロ機能を有するカメラが考え得る。本実施形態に係るカメラは、被写体を照明するためのマクロライトを備える。該マクロライトは、上記実施形態に係るセルフタイマモードで撮影タイミングを被写体に伝えるための照明と同様に、ＡＦのための補助光と兼用させる。この際、指向性が強いとピンポイントの照明になってしまい、ユーザが意図する照明としての役割を果たすことができない。
【００３２】
そこで、本実施形態では、切り替えレバー１を移動させた際、マクロモードに入ったとＣＰＵ１６が認識すると、ＣＰＵ１６はレンズをマクロモードで使用する位置に移動させるとともに補助光用ＬＥＤ３を点灯させる（マクロ撮影時の照明）。この際、補助光用ＬＥＤ３の前面に拡散板が挿入されている。
【００３３】
上記実施形態により、マクロ撮影時の照明と、ＡＦの補助光を兼用した装置であっても、マクロ撮影時、撮影範囲内の被写体をムラ無く照明することができる。
【００３４】
更に、マクロモード時に補助光用ＬＥＤ３を照明するかどうかを選択できる補助光用ＬＥＤ３のＯＮ／ＯＦＦスイッチを設けることも考え得る。
【００３５】
図４は、本発明の他の実施形態に係る補助光用ＬＥＤの周辺の概略断面図である。図３に示した実施形態とは、スイッチ５（つまみ部分５’を含む）の部分が相異する。
【００３６】
スイッチ５は、つまみ部分５’を図示する矢印方向に押し込むとＯＮ状態となる。ＯＮされたか否かで、マクロモード若しくはセルフタイマモードに入ったことを検出する。つまみ部分５’は、切り替えレバー１をスイッチ５の位置まで移動させた後、切り替えレバー１を介して矢印方向に押し込むことができる。これにより、本実施形態は、セルフモードにもマクロモードにも対応することができる。
【００３７】
また、押し込むごとに別のモード（セルフモードやマクロモード等）になるような順次切り替え式にすることも考え得る。これにより、複数のモード切替に対応することができる。
【００３８】
また、上記実施形態では、照明手段をＬＥＤとしたことで、安価で消費電流が少なく、熱の発生も少ないため拡散板の材料も安価なものが使用できるようになり、撮像装置の電池寿命の向上や、機器のコストダウンを図ることができる。
【００３９】
また、電流制御部１９（図１）を設け、照明の使用目的に応じてＬＥＤに流す電流量を変更することで、機器の電池寿命の向上に寄与することができる。
【００４０】
図６は、本発明の他の実施形態に係る動作処理を示すフロー図である。本実施形態では、ＡＦ終了時（ステップＳ６３）を検知し、このタイミングで拡散板制御部１２により拡散板を挿入し（ステップＳ６４）、セルフ点滅を行う（ステップＳ６５）。これにより、セルフタイマモードで撮影タイミングを被写体に伝える為の照明と、ＡＦの補助光を兼用した装置であっても、セルフタイマ作動時、撮影中心からある程度の角度を持った人からでもセルフタイマの動作表示を容易に確認することができるようになる。また、ＡＦ時には光が拡散されることがないため、少ないエネルギーで補助光が被写体に到達し、オートフォーカスの補助光としてエネルギーのロスを押さえることができる。
【００４１】
また、本発明は、上記各実施形態に係る撮像装置を組み込んだ装置、例えばカメラ付き携帯電話や、ビデオカメラに応用することも可能である。
【００４２】
なお、各実施形態で示した動作を、ＣＰＵが実行するプログラムは本発明によるプログラムを構成する。このプログラムを記録する記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【００４３】
以上、本発明者によってなされた発明を好適な実施の形態に基づき具体的に説明したが、本発明は上記のものに限定されるものではなく、その要旨を逸脱しない範囲で種種変更可能であることは言うまでもない。
【図面の簡単な説明】
【００４４】
【図１】本発明の実施形態に係る補助光の制御に関するブロック構成図である。
【図２】本発明の実施形態に係る補助光用ＬＥＤ３周辺の概略構成図である。
【図３】本発明の実施形態に係る補助光用ＬＥＤ３の前に拡散板４を配置した状態を示す図である。
【図４】本発明の実施形態に係る補助光用ＬＥＤ３の周辺の概略断面図である。
【図５】本発明の実施形態に係る動作処理を示すフロー図である。
【図６】本発明の実施形態に係る動作処理を示すフロー図である。
【符号の説明】
【００４５】
１    切り替えレバー
２、５    スイッチ
３    補助光用ＬＥＤ
４    拡散板
５'    つまみ部分
６、７、１１    アーム
８、９、１２    ヒンジ
１０    固定ヒンジ
１５    スイッチ検出部
１６    ＣＰＵ
１７    拡散制御部
１８    照明部
１９    電流制御部
【図１】
2007199353.tif 000003
【図２】
2007199353.tif 000004
【図３】
2007199353.tif 000005
【図４】
2007199353.tif 000006
【図５】
2007199353.tif 000007
【図６】
2007199353.tif 000008